(57)【要約】【課題】  一つ又は複数の基地局ＢＴＳから複数の無線回線を介して複数の同一データ系列を受信する移動局ＭＳであって、メモリを削減すると共に、誤り訂正復号化処理に係る負荷を軽減することを可能とする移動局を提供する。【解決手段】  本発明に係る移動局ＭＳは、複数の無線回線を介して受信した複数の誤り訂正復号化処理前のデータ系列の受信品質を測定する測定部１３と、誤り訂正復号化処理前のデータ系列の中から最も受信品質が高いデータ系列を選択する選択部１４と、選択した誤り訂正復号化処理前のデータ系列に対して誤り訂正復号化処理を施す復号部１５とを具備する。【選択図】  図１
2005117110.tif 000002
【特許請求の範囲】
【請求項１】
一つ又は複数の基地局から複数の無線回線を介して複数の同一データ系列を受信する移動局であって、
前記複数の無線回線を介して受信した複数の誤り訂正復号化処理前のデータ系列の受信品質を測定する測定部と、
前記誤り訂正復号化処理前のデータ系列の中から、最も受信品質が高いデータ系列を選択する選択部と、
選択した前記誤り訂正復号化処理前のデータ系列に対して誤り訂正復号化処理を施す復号部とを具備することを特徴とする移動局。
【請求項２】
一つ又は複数の基地局から複数の無線回線を介して複数の同一データ系列を受信する移動局であって、
前記複数の無線回線を介して受信した複数の誤り訂正復号化処理前のデータ系列の一部のデータの受信品質を測定する測定部と、
前記誤り訂正復号化処理前のデータ系列の中から、最も受信品質が高いデータ系列の一部を含むデータ系列を選択する選択部と、
選択した前記誤り訂正復号化処理前のデータ系列に対して誤り訂正復号化処理を施す復号部とを具備することを特徴とする移動局。
【請求項３】
前記測定部は、前記受信品質として、希望波受信レベルと干渉波受信レベルとの比、又は、受信レベルを測定することを特徴とする請求項１又は２に記載の移動局。
【発明の詳細な説明】
【技術分野】
【０００１】
本発明は、一つ又は複数の基地局から複数の無線回線を介して複数の同一データ系列を受信する移動局に関する。
【背景技術】
【０００２】
従来のＰＤＣ（Ｐｅｒｓｏｎａｌ  Ｄｉｇｉｔａｌ  Ｃｅｌｌｕｌａｒ）等の第２世代移動通信システムでは、移動局が、通信中にセル/セクタ間を移動する際、ハンドオーバ元セル/セクタとの通信回線を解放した後で、ハンドオーバ先セル/セクタとの間で通信回線を設定するハンドオーバ（ハードハンドオーバ）方式が採用されている。
【０００３】
一方、ＣＤＭＡ（Ｃｏｄｅ  Ｄｉｖｉｓｉｏｎ  Ｍｕｌｔｉｐｌｅ  Ａｃｃｅｓｓ）方式の移動通信システムでは、移動局が、通信中にセル/セクタ間を移動する際、ハンドオーバ元セル/セクタとの通信回線を解放する前に、ハンドオーバ先セル/セクタとの間で通信回線を設定するハンドオーバ（ダイバーシチハンドオーバ）方式が採用されている。
【０００４】
かかるダイバーシチハンドオーバ方式では、移動局は、セル/セクタ間の境界付近の所定領域において、複数のセル/セクタとの間の複数の通信回線を同時に設定して通信を行うように構成されている。
【０００５】
図６（ａ）乃至図６（ｄ）を参照して、かかるダイバーシチハンドオーバ方式におけるデータ系列（情報）の伝送方法について説明する。図６（ａ）乃至図６（ｄ）に示すように、データ系列の伝送方法は、セクタ間でのダイバーシチハンドオーバ方式とセル間でのダイバーシチハンドオーバ方式とで異なる。
【０００６】
図６（ａ）に、セクタ間でのダイバーシチハンドオーバ方式における上り方向のデータ系列の伝送方法を示す。かかる場合、基地局ＢＴＳが、複数のセクタ１及び２において、移動局ＭＳからの同一のデータ系列を受信して、受信した複数のデータ系列を最大比合成して無線制御装置ＲＮＣに送信するように構成されている。
【０００７】
図６（ｂ）に、セル間でのダイバーシチハンドオーバ方式における上り方向のデータ系列の伝送方法を示す。かかる場合、複数の基地局ＢＴＳ１及びＢＴＳ２のそれぞれが、自身が管理するセルにおいて、移動局ＭＳからの同一のデータ系列を受信して、受信した複数のデータ系列と共に当該データ系列の受信品質に対応した信頼度情報を無線制御装置ＲＮＣに送信する。そして、無線制御装置ＲＮＣは、当該信頼度情報に基づいて、複数の基地局ＢＴＳ１及びＢＴＳ２から受信した複数のデータ系列の中から、最も信頼性の高いデータ系列を選択する選択合成処理を行い、選択合成されたデータ系列を上位局に伝送する。ここで、データ系列の受信品質には、希望波受信レベルと干渉波受信レベルとの比（受信ＳＩＲ）や、受信レベルや、ＣＲＣチェック結果等が含まれる。
【０００８】
図６（ｃ）に、セクタ間でのダイバーシチハンドオーバ方式における下り方向のデータ系列の伝送方法を示す。かかる場合、基地局ＢＴＳが、無線制御装置ＲＮＣからのデータ系列を分配して、複数のセクタ１及び２宛てに同一のデータ系列を送信する。移動局ＭＳは、複数のセクタ１及び２から複数の無線回線を介して同一のデータ系列を受信して最大合成処理を行う。
【０００９】
図６（ｄ）に、セル間でのダイバーシチハンドオーバ方式における下り方向のデータ系列の伝送方法を示す。かかる場合、無線制御装置ＲＮＣが、上位局からのデータ系列を分配して、複数の基地局ＢＴＳ１及びＢＴＳ２宛てに同一のデータ系列を送信する。各基地局ＢＴＳ１又はＢＴＳ２は、自身が管理するセル内に受信したデータ系列を送信する。移動局ＭＳは、複数の基地局ＢＴＳ１及びＢＴＳ２から複数の無線回線を介して同一のデータ系列を受信して最大合成処理を行う。
【特許文献１】ＷＯ９５-３２５９４
【非特許文献１】立川敬二監修、「Ｗ-ＣＤＭＡ移動通信方式」丸善株式会社
【発明の開示】
【発明が解決しようとする課題】
【００１０】
しかしながら、従来のダイバーシチハンドオーバ方式における下り方向のデータ系列の伝送方法では、移動局が、最大比合成処理を行うため、選択合成処理を行う場合と比較して多くのメモリ領域を確保する必要があるという問題点があった。
【００１１】
また、従来のダイバーシチハンドオーバ方式における下り方向のデータ系列の伝送方法では、移動局が、選択合成処理を行うとしても、誤り訂正符号化処理後のデータ系列の受信品質を用いるため、復号部における負荷が多大になり、シーケンシャルに処理が不可能な場合、複数の復号部を具備する必要があるという問題点があった。
【００１２】
そこで、本発明は、以上の点に鑑みてなされたもので、一つ又は複数の基地局から複数の無線回線を介して複数の同一データ系列を受信する移動局であって、メモリを削減すると共に、誤り訂正復号化処理に係る負荷を軽減することを可能とする移動局を提供することを目的とする。
【課題を解決するための手段】
【００１３】
本発明の第１の特徴は、一つ又は複数の基地局から複数の無線回線を介して複数の同一データ系列を受信する移動局であって、前記複数の無線回線を介して受信した複数の誤り訂正復号化処理前のデータ系列の受信品質を測定する測定部と、前記誤り訂正復号化処理前のデータ系列の中から、最も受信品質が高いデータ系列を選択する選択部と、選択した前記誤り訂正復号化処理前のデータ系列に対して誤り訂正復号化処理を施す復号部とを具備することを要旨とする。
【００１４】
かかる発明によれば、最も受信品質が高いデータ系列に対して訂正復号化処理を施すだけでよいため、復号部における処理負荷を軽減することができる。
【００１５】
本発明の第２の特徴は、一つ又は複数の基地局から複数の無線回線を介して複数の同一データ系列を受信する移動局であって、前記複数の無線回線を介して受信した複数の誤り訂正復号化処理前のデータ系列の一部のデータの受信品質を測定する測定部と、前記誤り訂正復号化処理前のデータ系列の中から、最も受信品質が高いデータ系列の一部を含むデータ系列を選択する選択部と、選択した前記誤り訂正復号化処理前のデータ系列に対して誤り訂正復号化処理を施す復号部とを具備することを要旨とする。
【００１６】
かかる発明によれば、複数の誤り訂正復号化処理前のデータ系列の一部のデータ系列、及び、選択部により選択された訂正復号化処理前のデータ系列のみを記憶するだけでよいため、移動局におけるメモリを削減することができる。
【００１７】
また、本発明の第１及び第２の特徴において、前記測定部が、前記受信品質として、希望波受信レベルと干渉波受信レベルとの比、又は、受信レベルを測定するように構成されていてもよい。
【発明の効果】
【００１８】
以上説明したように、本発明によれば、一つ又は複数の基地局から複数の無線回線を介して複数の同一データ系列を受信する移動局であって、メモリを削減すると共に、誤り訂正復号化処理に係る負荷を軽減することを可能とする移動局
を提供することができる。
【発明を実施するための最良の形態】
【００１９】
（本発明の第１の実施形態）
以下、図面を参照して、本発明の第１の実施形態に係る移動局ＭＳについて説明する。図１は、本実施形態に係る移動局ＭＳの機能ブロック図である。
【００２０】
図１に示すように、本実施形態に係る移動局ＭＳは、主として、受信部１１と、記憶部１２と、受信品質測定部１３と、選択合成部１４と、復号部１５とを具備している。
【００２１】
受信部１１は、一つ又は複数の基地局ＢＴＳから複数の無線回線を介して送信された複数の同一のデータ系列を受信するものである。例えば、受信部１１は、３つの基地局ＢＴＳからのデータ系列を受信した場合、当該３つのデータ系列をそれぞれ記憶部１２に記憶する。また、受信部１１は、同一の基地局ＢＴＳの異なるセクタからのデータ系列を受信した場合、当該データ系列をそれぞれ記憶部１２に記憶する。
【００２２】
受信品質測定部１３は、複数の無線回線を介して受信した複数の誤り訂正復号化処理前のデータ系列の受信品質を測定するものである。例えば、受信品質測定部１３は、受信品質として、受信ＳＩＲや受信レベルやＣＲＣチェック結果等を測定する。
【００２３】
選択合成部１４は、受信品質測定部１３により測定された受信品質に基づいて、誤り訂正復号化処理前のデータ系列の中から、最も受信品質が高いデータ系列を選択するものである。
【００２４】
復号部１５は、選択合成部１４により選択された誤り訂正復号化処理前のデータ系列を記憶部１２から取得して、取得したデータ系列に対して誤り訂正復号化処理を施すものである。
【００２５】
以下、図面を参照して、本実施形態に係る移動局ＭＳの動作について具体的に説明する。
【００２６】
図４に示すように、ステップ１０１において、受信部１１が、一つ又は複数の基地局ＢＴＳから複数の無線回線を介して送信された複数の同一のデータ系列を受信して、受信した複数の同一のデータ系列を、各データ系列が送信された無線回線の識別情報と共に記憶部１２に記憶する。
【００２７】
ステップ１０２において、受信品質測定部１３が、受信部１１により受信された各データ系列の受信品質を測定し、測定結果を選択合成部１４に通知する。
【００２８】
ステップ１０３において、選択合成部１４は、受信品質測定部１３からの測定結果に応じて、最も受信品質の高いデータ系列を選択し、選択結果を復号部１４に通知する。
【００２９】
ステップ１０４において、復号部１４が、選択合成部１４からの選択結果に応じて、最も受信品質の高いと判定されたデータ系列を記憶部１２から取得し、当該データ系列に対して誤り訂正符号化処理を施す。
【００３０】
本実施形態に係る移動局によれば、最も受信品質が高いデータ系列に対して訂正復号化処理を施すだけでよいため、復号部における処理負荷を軽減することができる。
【００３１】
（本発明の第２の実施形態）
以下、図面を参照して、本発明の第２の実施形態に係る移動局ＭＳについて説明する。図３は、本実施形態に係る移動局ＭＳの機能ブロック図である。以下、本実施形態に係る移動局ＭＳの構成について、上述の第１の実施形態に係る移動局ＭＳの構成との相違点について主として説明する。
【００３２】
図３に示すように、本実施形態に係る移動局ＭＳは、上述の第１の実施形態に係る移動局と同様に、主として、受信部１１と、記憶部１２と、受信品質測定部１３と、選択合成部１４と、復号部１５とを具備している。
【００３３】
受信部１１は、一つ又は複数の基地局ＢＴＳから複数の無線回線を介して送信された複数の同一のデータ系列を受信し、受信した各データ系列の一部を記憶部１２に記憶するものである。具体的には、図４に示すように、受信部１１は、受信した各データ系列のうち、受信品質測定単位のデータ系列をそれぞれ記憶部１２に記憶するように構成されている。また、図４に示すように、受信部１１は、選択合成部１４によって選択されたデータ系列（誤り訂正復号単位のデータ系列）のみを記憶部１２に記憶するように構成されている。
【００３４】
図４の例では、記憶部１２は、無線回線１を介して受信したデータ系列については、受信品質測定単位のデータ系列のみを記憶しており、無線回線２を介して受信したデータ系列については、受信品質測定単位のデータ系列のみでなく、誤り訂正復号単位のデータ系列を記憶している。かかる場合、選択合成部１４は、無線回線２を介して受信したデータ系列の一部が最も受信品質が高いと判定したものと考えられる。
【００３５】
受信品質測定部１３は、複数の無線回線を介して受信した複数の誤り訂正復号化処理前のデータ系列の一部（受信品質測定単位のデータ系列）の受信品質を測定するものである。例えば、受信品質測定部１３は、受信品質として、受信ＳＩＲや受信レベル等を測定する。なお、受信品質測定単位は、例えば、所定数のビット、所定数のシンボル、所定数のタイムスロットによって定義される。
【００３６】
選択合成部１４は、受信品質測定部１３により測定された受信品質に基づいて、誤り訂正復号化処理前のデータ系列の中から、最も受信品質が高いデータ系列の一部を含むデータ系列を選択するものである。
【００３７】
また、選択合成部１４は、最も受信品質が高いデータ系列の一部を含むデータ系列（誤り訂正復号単位のデータ系列）を記憶部１２に記憶するように、受信部１１に指示するように構成されている。
【００３８】
復号部１５は、選択合成部１４により選択された誤り訂正復号化処理前のデータ系列（誤り訂正復号単位のデータ系列）を記憶部１２から取得して、取得したデータ系列に対して誤り訂正復号化処理を施すものである。
【００３９】
以下、図面を参照して、本実施形態に係る移動局ＭＳの動作について具体的に説明する。
【００４０】
図５に示すように、ステップ２０１において、受信部１１が、一つ又は複数の基地局ＢＴＳから複数の無線回線を介して送信された複数の同一のデータ系列を受信して、受信した複数の同一のデータ系列の一部（受信品質測定単位のデータ系列）を、各データ系列の一部が送信された無線回線の識別情報と共に記憶部１２に記憶する。
【００４１】
ステップ２０２において、受信品質測定部１３が、受信部１１により受信された各データ系列の一部（受信品質測定単位のデータ系列）の受信品質を測定し、測定結果を選択合成部１４に通知する。
【００４２】
ステップ２０３において、選択合成部１４は、受信品質測定部１３からの測定結果に応じて、最も受信品質の高いデータ系列の一部（受信品質測定単位のデータ系列）を含むデータ系列を選択し、選択結果を受信部１１及び復号部１４に通知する。ここで、受信部１１は、通知された選択結果に基づいて、最も受信品質の高いと判定されたデータ系列の一部（受信品質測定単位のデータ系列）を含むデータ系列（誤り訂正復号単位のデータ系列）を記憶部１２に記憶する。
【００４３】
ステップ２０４において、復号部１４が、選択合成部１４からの選択結果に応じて、最も受信品質の高いと判定されたデータ系列の一部（受信品質測定単位のデータ系列）を含むデータ系列（誤り訂正復号単位のデータ系列）を記憶部１２から取得し、当該データ系列に対して誤り訂正符号化処理を施す。
【００４４】
本実施形態に係る移動局によれば、複数の誤り訂正復号化処理前のデータ系列の一部のデータ系列（受信品質測定単位のデータ系列）、及び、選択部により選択された訂正復号化処理前のデータ系列（誤り訂正復号単位のデータ系列）のみを記憶するだけでよいため、移動局ＭＳにおけるメモリを削減することができる。
【図面の簡単な説明】
【００４５】
【図１】本発明の第１の実施形態に係る移動局の機能ブロック図である。
【図２】本発明の第１の実施形態に係る移動局の動作を示すフローチャートである。
【図３】本発明の第２の実施形態に係る移動局の機能ブロック図である。
【図４】本発明の第２の実施形態に係る移動局の記憶部に記憶されるデータ系列を説明するための図である。
【図５】本発明の第２の実施形態に係る移動局の動作を示すフローチャートである。
【図６】従来技術に係るダイバーシチハンドオーバ方式におけるデータ系列の伝送方法を説明するための図である。
【符号の説明】
【００４６】
ＢＴＳ…基地局
ＲＮＳ…無線制御装置
ＭＳ…移動局
１１…受信部
１２…記憶部
１３…受信品質測定部
１４…選択合成部
１５…復号部
【図１】
2005117110.tif 000003
【図２】
2005117110.tif 000004
【図３】
2005117110.tif 000005
【図４】
2005117110.tif 000006
【図５】
2005117110.tif 000007
【図６】
2005117110.tif 000008